(57)【要約】【課題】雨、埃、木の葉、結露を防ぎ、車両盗難や車上荒らしを防止し、白線などで区切られスペースに制限のある駐車場で利用できる簡易折畳み車庫を提供する。【解決手段】車庫の出入口側が開放されている略コの字型のベースと、該ベースに設けられた第１のベースアンカーと、該第１のベースアンカーよりも車庫の奥側にオフセットされた第２のベースアンカーと、前記第１のベースアンカーに一方端が回動自在に軸着されたベースフレームと、前記第２のベースアンカーと前記ベースフレームを連結するスイングアームとを備える簡易折畳み車庫を提供する。【選択図】図１
2008308932.tif 000002
【特許請求の範囲】
【請求項１】
車庫の出入口側が開放されている略コの字形のベースと、
前記ベースの所定位置に設けられた第１のベースアンカーと、
前記第１のベースアンカーよりも車庫の奥側にオフセットされた第２のベースアンカーと、
前記第１のベースアンカーに一方端が回動自在に軸着されたベースフレームと、
前記ベースフレームと前記第２のベースアンカーとを連結するスイングアームと、
を備えることを特徴とする簡易折畳み車庫。
【請求項２】
前記ベースフレームが、その自由な他方端側において屈曲部を有することを特徴とする請求項１に記載の簡易折畳み車庫。
【請求項３】
前記ベースと前記スイングアームとを連結する開閉補助装置をさらに備えることを特徴とする請求項１又は２に記載の簡易折畳み車庫。
【請求項４】
前記ベースフレーム、前記スイングアーム及び／又は前記ベースに、略門形のカバーシート装着用フレームをさらに備えることを特徴とする請求項１ないし３のいずれかに記載の簡易折畳み車庫。
【請求項５】
前記カバーシート装着用フレームに、断熱繊維と難燃繊維により形成され、切り込み重ね合わせ部を有するカバーシートをさらに備えることを特徴とする請求項４に記載の簡易折畳み車庫。
【請求項６】
前記ベースフレームと前記ベースに、施錠装置をさらに備えることを特徴とする請求項１ないし５のいずれかに記載の簡易折畳み車庫。
【発明の詳細な説明】
【技術分野】
【０００１】
本発明は、設置が簡単で設置場所の移動も容易にでき、限られた駐車スペースでも縦断面が略長方形の車両を格納可能な簡易折畳み車庫に関するものである。
【背景技術】
【０００２】
一般住宅の敷地内やいわゆる青空駐車場など屋外に駐車した車両を保護する手段としては、広く車両用カバーが用いられている。この車両用カバーは車両に直接被せるものであるから、車両の形状にマッチして場所をとらず、また外観も綺麗であるという長所がある。しかし、カバーの装脱作業に手間を要し、特に近年ユーザーが増えているミニバンなど縦断面が略長方形で車高の比較的高い車両の場合、悪天候の際は特に装脱にかなりの困難を伴うという問題点があり、また飛来物等が衝突した際の車両保護、また車両盗難や車上荒らしに対する防止について十分とは言えない。
【０００３】
このような状況に対し、最近では各種の簡易車庫が提案されている。例えば、特許文献１は、車両を格納するカバー体を伸縮自在にベース体に取付けて折畳み可能な車庫を形成させたことを特徴とする屋外簡易形据付車庫を開示している。
【０００４】
また、特許文献２は、車両の収納位置の両側に設置される案内部材と、この案内部材に沿って伸縮可能な屋根部と、前記案内部材間に設けられ、収納される車両の車輪により固定されるようにした固定台部とを備えた移動可能な折畳み簡易車庫を開示している。
【０００５】
さらに、特許文献３は、複数本の山形の骨材を平行に並べた胴枠とこの服枠の側面及び頂面を覆うシート状のカバーとからなる胴部被覆体を備え、この胴剖被覆体の前面に開閉自在に設けられた前面閉鎖体を備えたことを特徴とする自動車用車庫を開示している。
【特許文献１】特開２００４−３３９６９９号公報
【特許文献２】特開平６−２４４７号公報
【特許文献３】特開平１０−１１５１１１号公報
【発明の開示】
【発明が解決しようとする課題】
【０００６】
しかしながら、特許文献１の発明は、車庫の略中央部の要を中心としてその縦断面が扇状になっており、ミニバンなどの縦断面が略長方形で車高の比較的高い車両を収容するためには、必然的に車庫全体が大きなものとなりデッドスペースが生じるとともに、白線などで区切られスペースに制限のある青空駐車場での利用には不向きであるという問題点があった。
【０００７】
これに対し、特許文献２の発明は、略長方形であるものの車両の出入口側が開放状態のままであり、雨、埃、木の葉の侵入はもちろん、車両盗難や車上荒らしを防止することはできず、また結露を防ぐこともできないという問題点があった。
【０００８】
さらに、特許文献３の車庫は、車両の出入口側を閉鎖する構成を有しているものの、簡易な自動車用車庫にもかかわらず部品点数が多く複雑で重量も重いなどの問題点があった。
【課題を解決するための手段】
【０００９】
そこで、請求項１に記載の発明は、車庫の出入口側が開放されている略コの字形のベースと、前記ベースの所定位置に設けられた第１のベースアンカーと、前記第１のベースアンカーよりも車庫の奥側にオフセットされた第２のベースアンカーと、前記第１のベースアンカーに一方端が回動自在に軸着されたベースフレームと、前記ベースフレームと前記第２のベースアンカーとを連結するスイングアームとを備える簡易折畳み車庫を構成したものである。すなわち、請求項１に記載の発明は、駐車場の白線で区切られたスペースに応じた大きさのベースを設置し、該ベースの所定の位置に設けられた第１のベースアンカーを支点として、オフセットされた第２のベースアンカーとの間に連結されたスイングアームの働きによりベースフレームを略上下斜め方向に開閉させ、簡易折畳み車庫として構成するものである。
【００１０】
請求項２に記載の発明は、請求項１に記載の発明であって、前記ベースフレームが、その自由な他方端側において屈曲部を有する簡易折畳み車庫を構成したものである。すなわち、請求項２に記載の発明は、ベースフレームの寸法が長くなる場合に、その自由な他方端側の所定の位置において屈曲させ、簡易折畳み車庫として構成するものである。
【００１１】
請求項３に記載の発明は、請求項１又は２に記載の発明であって、前記ベースと前記スイングアームとを連結する開閉補助装置をさらに備える簡易折畳み車庫を構成したものである。すなわち、請求項３に記載の発明は、ベースフレームの寸法が長くなり、ひいては開閉する部分の重量が重くなる場合に、ベースとスイングアームとを開閉補助装置により連結させ、簡易折畳み車庫として構成するものである。
【００１２】
請求項４に記載の発明は、請求項１から３のいずれかに記載の発明であって、前記ベースフレーム、前記スイングアーム及び／又は前記ベースに、略門形のカバーシート装着用フレームをさらに備える簡易折畳み車庫を構成したものである。すなわち、請求項４に記載の発明は、格納される車両の大きさや形状に応じたカバーシート装着用フレームを設け、簡易折畳み車庫として構成するものである。
【００１３】
請求項５に記載の発明は、請求項４に記載の発明であって、断熱繊維と難燃繊維により形成され、切り込み重ね合わせ部を有するカバーシートをさらに備える簡易折畳み車庫を構成したものである。すなわち、請求項５に記載の発明は、車両の保護と通気通風機能を両立するカバーシートを付与させ、簡易折畳み車庫として構成するものである。
【００１４】
請求項６に記載の発明は、請求項１から５のいずれかに記載の発明であって、前記ベースフレームと前記ベースに施錠装置をさらに備える簡易折畳み車庫を構成したものである。すなわち、請求項６に記載の発明は、ベースフレームを閉鎖状態とした際にベースとの間で施錠させ、簡易折畳み車庫として構成するものである。
【発明の効果】
【００１５】
請求項１に記載の発明の簡易折畳み車庫は、略上下斜め方向に車庫を開閉するので、白線などで区切られているような制限のある駐車スペースを有効に利用することができ、また、ミニバンなどの縦断面が略長方形で比較的車高の高い車両であっても、その大きさや形状に応じて格納するためデッドスペースがほとんどなく、美観にも優れている。さらに、本格的な基礎工事を必要とする恒久的な車庫ではなく、車庫の基本的な骨格をなすベースやベースフレームを簡単に組み立てることができるため、工事費が安価であるばかりではなく、舗装された駐車場にも設営が可能で、駐車位置の変更など移動または移設の必要が生じた場合も簡単に作業ができる。
【００１６】
請求項２に記載の発明の簡易折畳み車庫は、ベースフレームをその自由な他方端側の所定の位置において屈曲させることにより、格納される車両の大きさや形状に応じてベースフレームの寸法が長くなる場合でも、通常の背丈を有する成人が容易に開閉することができる。
【００１７】
請求項３に記載の発明の簡易折畳み車庫は、ベースとスイングアームとを開閉補助装置によって連結させることにより、格納される車両の大きさや形状に応じてベースフレームの寸法が長くなり、ひいては開閉する部分の重量が重くなる場合でも、人力で容易に開閉することができる。
【００１８】
請求項４に記載の発明の簡易折畳み車庫は、格納される車両の大きさや形状に応じて、所望の位置に所望の数量だけカバーシート装着用フレームを設けることにより、各種の四輪自動車から自動二輪車まで幅広い車両を格納することができる。
【００１９】
請求項５に記載の発明の簡易折畳み車庫は、断熱繊維と難燃繊維により形成され、切り込み重ね合わせ部を有するカバーシートを装着することにより、その他の構成要素と相俟って、雨、挨、木の葉、結露を大幅に遮断又は防止できる。
【００２０】
請求項６に記載の発明の簡易折畳み車庫は、施錠機能を備えることにより、最近、特に増加している車両盗難や車上荒らしなどの防犯対策にも極めて有効に対応できる。
【発明を実施するための最良の形態】
【００２１】
以下、本発明の最良の実施形態を図面に基づき説明する。この実施形態は、主に、ミニバンなどの縦断面が略長方形で比較的車高の高い車両の格納に適したものである。
【００２２】
図１ないし３に示すように、まず駐車場の白線枠（図示せず）内に応じた略コの字形のベース１を設ける。車両の先頭側が開放される部分であって車両の出入口側となる。該ベースには左右一対ずつの第１のべースアンカー２と第２のベースアンカー３が設けられており、各ベースアンカーはそれぞれ所定の数のアンカーボルト（図示せず）により駐車場表面に固定される。前記ベース１の固定にあたっては格納する車両の自重を利用してもよく、その場合は、前記ベースの所定の位置に固定又は前記ベース上を移動可能にした、車輪を載せるための基板を設置する。該基板は左右格別のものでもよいし、左右に差し渡した一枚状のものでもよい。さらに、前記基板と前記アンカーボルトの組合わせにより前記ベースを固定してもよい。
【００２３】
前記第１のベースアンカー２にはベースフレーム４の一方端が回動自在に軸着されており、自由な他方端は車両の出入口を構成する。該ベースフレーム４の長さは格納される車両の大きさに応じて伸縮できるが、一定以上の長さとなる場合には、図３に示すように、ベースフレームの他方端の所定の位置に屈曲部４ａを設けることが好ましい。これにより、ベースフレーム４を開放状態にした際の高さが抑制され、格納される車両が大きくなっても開閉操作の利便性や安全性が維持される。
【００２４】
前記第２のベースアンカー３は車両の出入口側からみて前記第１のベースアンカー２よりも奥側にオフセットされて設けられている。前記ベースフレーム４の所定の位置と前記第２のベースアンカー３とは、スイングアーム５によって連結されている。該スイングアーム５はその略中間の位置における間接部を介して第１のアーム５ａと第２のアーム５ｂから構成されており、該第１のアーム５ａは前記ベースフレーム４と、該第２のアーム５ｂは前記第２のベースアンカー３と、それぞれ回動自在に軸着されている。
【００２５】
前記ベースフレーム４の長さひいては重量が一定以上の重さとなる場合には、図１ないし３に示すように、前記第２のアーム５ｂと前記ベース１とを連結する開閉補助装置６を設けることが好ましい。これにより、車庫の開閉部分の重量が重くなっても人力による開閉操作が維持される。開閉補助装置６としては、車庫の開閉部分の重量に応じて、コイルばねのほかダンパーなど公知のものを活用できる。
【００２６】
前記ベースフレーム４、前記スイングアーム５及び前記ベース１には、カバーシートを取り付けるためのカバーシート装着用フレーム７を、格納する車両の大きさや形状に応じて所望の数だけ所望の位置に設けることができる。図１ないし３では、前記ベースフレーム４に２つ、前記スイングアーム５の前記第２のアーム５ｂに１つ及び前記ベース１に１つを設けた例を示している。ここで、前記ベースフレーム４及び前記スイングアーム５の前記第２のアーム５ｂに設けられているカバーシート装着用フレーム７は、車庫を折畳むことができるよう回動自在となっている。他方、前記ベース１に設けられているカバーシート装着用フレーム７は、車庫の形状を維持するため使用時には固定されているが、不使用時には車庫全体を折畳むため可倒方式とすることが好ましい。カバーシート装着用フレーム７には車両格納中の車庫の形状を維持するとともに、開閉時にカバーシートを円滑に折畳みできるよう、それぞれ支持棒８が設けられている。
【００２７】
前記ベースフレーム４の他方端の先端近傍には前記ベース１に施錠するための装置（図示せず）と、開閉用のグリップ（図示せず）が設けられており、前記ベースの対応する位置には前記ベースフレーム４の施錠装置を取付ける部材が設けられている。施錠するための装置と開閉用のグリップには公知の各種のものを採用することができるが、双方を一体化して形成してもよいし、前記ベースフレーム４や前記ベース１の部材の材質、大きさ及び形状に応じて、各別に設けてもよい。
【００２８】
前記カバーシート装着用フレーム７を覆うカバーシート９としては、格納する車両の保護の観点から断熱繊維と難燃繊維から形成されたものが好ましい。さらに、通気や通風のため、カバーシート９に切り込み（図示せず）を設け、その前後のカバーシート９を重ね合わせた部位を設けることが好ましい。
【００２９】
次に、本発明の他の実施形態を説明する。この他の実施形態は、主に、二輪車などの比較的小型の車両の格納に適したものである。
【００３０】
図４に示すように、この他の実施形態の基本的な構成は上記の実施形態の構成とほぼ同様であるので、相違する点のみを説明する。
【００３１】
格納される車両が比較的小型の場合は、ベースフレームの長さも比較的短小なものですむため、車両の出入口側を構成する前記ベースフレーム１４の他方端の所定の位置に屈曲部は設けられていない。また、車庫の開閉部分の重量も比較的軽量であることから、スイングアーム１５とベース１１の間に開閉補助装置１６も設けられていない。
【００３２】
前記スイングアーム１５及び前記ベース１１には、カバーシートを取り付けるためのカバーシート装着用フレーム１７を、格納する車両の大きさや形状に応じて所望の数を所望の位置に設けることができるが、図４では、前記スイングアーム１５の前記第１のアーム１５ａに２つ及び前記ベース１１に１つを設けた例を示している。ここで、前記スイングアーム１５の前記第１のアーム１５ａに設けられているカバーシート装着用フレーム１７は、車庫を折畳むことができるよう回動自在となっている。他方、前記ベースに設けられているカバーシート装着用フレーム１７は、車庫の形状を維持するため少なくとも使用時には固定されている。不使用時には、車庫全体を折畳むため可倒方式とすることが好ましい。カバーシート装着用フレーム１７には車両格納中の車庫の形状を維持するとともに、開閉時にカバーシートを円滑に折畳みできるよう、それぞれ支持棒１８が設けられている。
【００３３】
前記ベースフレーム１４を前記ベースに施錠するための装置や開閉用のグリップ、並びに前記カバーシート装着用フレーム１７を覆うカバーシート１９については、上記の実施形態と同様に適用することができる。
【００３４】
本発明は以上の実施形態に限定されるものではなく、格納される車両の形状や大きさに応じて適宜設計変更できるものである。
【図面の簡単な説明】
【００３５】
【図１】本発明の簡易折畳み車庫の実施形態であって、車両を格納した状態を示す透視図である。
【図２】図１のベースフレームが閉鎖された状態を示す透視図である。
【図３】図１のベースフレームが開放された状態を示す透視図である。
【図４】本発明の簡易折畳み車庫の他の実施形態であって、ベースフレームが閉鎖された状態を示す透視図である。
【符号の説明】
【００３６】
１，１１…ベース
２，１２…第１のベースアンカー
３，１３…第２のベースアンカー
４，１４…ベースフレーム
４ａ…屈曲部
５，１５…スイングアーム
５ａ，１５ａ…第１のアーム
５ｂ，１５ｂ…第２のアーム
６…開閉補助装置
７，１７…カバーシート装着用フレーム
８，１８…支持棒
９，１９…カバーシート
【図１】
2008308932.tif 000003
【図２】
2008308932.tif 000004
【図３】
2008308932.tif 000005
【図４】
2008308932.tif 000006